(57)【要約】【課題】  安価に化粧部材を作製することができ、かつ化粧部材がフード部に密着して取り付けられることで隙間が生じ難い意匠性の高いレンジフードを提供する。【解決手段】  空気を吸引する開口部を有するフード部１０と、フード部の上に設けられ、ダクトを覆うダクトカバー３０と、フード部より剛性が小さく、ダクトカバーとフード部の繋ぎ目３１を覆う帯部６０とを備え、設置された場合の繋ぎ目近傍における水平面によるダクトカバーの切断面形状は第１湾曲部３２を有し、該水平面によるフード部の切断面形状は、第１湾曲部の曲率より小さい曲率を有する第２湾曲部１７を有すると共に、フード部の繋ぎ目から開口部に向けて小さくなる曲率を有し、帯部の端部と鉛直面が交わる第１交線Ｌ１と鉛直方向とがなす第１角度Ａ１は、帯部の中央部と鉛直面が交わる第２交線Ｌ２と鉛直方向とがなす第２角度Ａ２より大きいレンジフード１００。【選択図】  図５
2018035997.tif 000002
【特許請求の範囲】
【請求項１】
空気を吸引する開口部を有するフード部と、
前記フード部の上に設けられ、ダクトを覆うダクトカバーと、
前記フード部より剛性が小さく、前記ダクトカバーと前記フード部の繋ぎ目を覆う帯部と、
を備え、
設置された場合の前記繋ぎ目近傍における水平面による前記ダクトカバーの切断面形状は、第１湾曲部を有し、
設置された場合の水平面による前記フード部の切断面形状は、前記第１湾曲部の曲率より小さい曲率を有する第２湾曲部を有すると共に、前記フード部の前記繋ぎ目から前記開口部に向けて小さくなる曲率を有し、
前記帯部の端部と鉛直面が交わる第１交線と鉛直方向とがなす第１角度は、前記帯部の中央部と鉛直面が交わる第２交線と鉛直方向とがなす第２角度より大きい、
レンジフード。
【請求項２】
前記端部の幅は、前記中央部の幅より広いことを特徴とする請求項１に記載のレンジフード。
【請求項３】
空気を吸引する開口部を有する湾曲したフード部と、
前記フード部の上に設けられ、ダクトを覆う湾曲したダクトカバーと、前記フード部より剛性の小さく、前記ダクトカバーと前記フード部の繋ぎ目を覆う帯部とを備えるレンジフードの製造方法において、
前記繋ぎ目より小さな曲率を有する前記開口部に向けて前記帯部の長手方向の端部を押さえつけながら、前記フード部の前記繋ぎ目近傍に前記帯部の長手方向を設置された場合の略水平方向に巻きつけ、
前記帯部を押さえつけた状態で、前記帯部を前記フード部と接続し、
前記帯部を前記フード部に取り付けるレンジフードの製造方法。
【発明の詳細な説明】
【技術分野】
【０００１】
本発明は、レンジフードおよびレンジフードの製造方法に関する。
【背景技術】
【０００２】
従来から、上部においてダクトカバーと接続されて、油分や湯気などを含む空気を捕集するため上方から下方に向けて徐々に末広がることで略円錐状のフード部を有するレンジフードが提案されている（例えば、特許文献１）。かかるレンジフードは、フード部に角部がなく、小さな曲率の曲線のみで形成された湾曲部が視覚的な主要素となるため、ダイニングキッチンなどに配置される場合に高い意匠性を発揮する。
【先行技術文献】
【特許文献】
【０００３】
【特許文献１】特開平０８−２４７５１８号公報
【発明の概要】
【発明が解決しようとする課題】
【０００４】
しかしながら、このようなレンジフードは、フード部とダクトカバーとの境界に繋ぎ目の線がでてしまい、全体として一体感がなく、フード部で表現されている曲線の美しさが減じられてしまう。これを解決するためには、フード部とダクトカバーとの間に、フード部からダクトカバーまでを滑らかにつなげるために帯状の化粧部材を入れることが考えられるが、フード部の曲線に合わせた化粧部材を作るには高額な金型が必要となったり、精度良く寸法を出さなければフード部と化粧部材、または、ダクトカバーと化粧部材との間に隙間が生じてしまうという問題があった。
【０００５】
そこで、本発明は、安価に化粧部材を作製することができ、かつ化粧部材がフード部に密着して取り付けられることで隙間が生じ難い意匠性の高いレンジフードおよびその製造方法を提供する。
【課題を解決するための手段】
【０００６】
上記課題を解決するために、空気を吸引する開口部を有するフード部と、フード部の上に設けられ、ダクトを覆うダクトカバーと、フード部より剛性が小さく、ダクトカバーとフード部の繋ぎ目を覆う帯部と、を備え、設置された場合の繋ぎ目近傍における水平面によるダクトカバーの切断面形状は、第１湾曲部を有し、設置された場合の水平面によるフード部の切断面形状は、第１湾曲部の曲率より小さい曲率を有する第２湾曲部を有すると共に、フード部の繋ぎ目から開口部に向けて小さくなる曲率を有し、帯部の端部と鉛直面が交わる第１交線と鉛直方向とがなす第１角度は、帯部の中央部と鉛直面が交わる第２交線と鉛直方向とがなす第２角度より大きいレンジフードが提供される。
これによれば、剛性の小さい帯状の化粧部材（帯部）の端部が広げられた状態でフード部に取り付けられることで、逆に帯部の中央部ほどが立ち上り、すなわち、帯部がフード部に第１角度が第２角度より大きい状態で取り付けられることで、帯部の下端がフード部に押し付けられて密着した状態となり、隙間が生じ難い意匠性の高いレンジフードを提供することができる。また、帯部は、安価な平板の金属板を用いることができるので、耐火性能を求められるレンジフードにおいても、コストのかからない化粧を施したレンジフードを提供することができる。
【０００７】
さらに、端部の幅は、中央部の幅より広いことを特徴としてもよい。
これによれば、帯部の端部の幅が、中央部の幅より広いことで、端部を広げられた状態にすることが容易となると共に、帯部の下端における端部から中央部までの長さが長くなることで、第１角度から第２角度になる単位長さ当たりの変化量が小さくなるため、隙間がより生じ難くなる。
【０００８】
上記課題を解決するために、空気を吸引する開口部を有する湾曲したフード部と、フード部の上に設けられ、ダクトを覆う湾曲したダクトカバーと、フード部より剛性の小さく、ダクトカバーとフード部の繋ぎ目を覆う帯部とを備えるレンジフードの製造方法において、繋ぎ目より小さな曲率を有する開口部に向けて帯部の長手方向の端部を押さえつけながら、フード部の繋ぎ目近傍に帯部の長手方向を設置された場合の概ね水平方向に巻きつけ、帯部を押さえつけた状態で、帯部をフード部と接続し、帯部をフード部に取り付けるレンジフードの製造方法が提供される。
これによれば、剛性の小さい帯状の化粧部材（帯部）を、繋ぎ目辺りのフード部に開口部方向に端部を押さえつけながら巻きつけて接続することで、帯部の端部が広げられた状態でかつ帯部の中央部ほど立ち上った状態となりフード部に取り付けられることとなり、帯部の下端がフード部に押し付けられて密着した状態とする、隙間が生じ難い意匠性の高いレンジフードの製造方法を提供することができる。また、帯部は、安価な平板の金属板を用いることができるので、耐火性能を求められるレンジフードにおいても、コストのかからない化粧を施したレンジフードの製造方法を提供することができる。
【発明の効果】
【０００９】
以上説明したように、本発明によれば、安価に化粧部材を作製することができ、かつ化粧部材がフード部に密着して取り付けられることで隙間が生じ難い意匠性の高いレンジフードおよびその製造方法を提供することができる。
【図面の簡単な説明】
【００１０】
【図１】本発明に係る第一実施例のレンジフードの、（Ａ）正面図、（Ｂ）平面図、（Ｃ）底面図、（Ｄ）背面図、（Ｅ）右側面図。
【図２】本発明に係る第一実施例のレンジフードの、（Ａ）右上から見た斜視図、（Ｂ）右下から見た斜視図。
【図３】本発明に係る第一実施例のレンジフードの、図１に示されたＡ−Ａ断面における断面図。
【図４】本発明に係る第一実施例のレンジフードの、図１に示されたＢ−Ｂ断面における断面図。
【図５】本発明に係る第一実施例のレンジフードの、（Ａ）図３に示された点線の円形で示された領域の部分拡大断面図、（Ｂ）図４に示された点線の円形で示された領域の部分拡大断面図。
【図６】本発明に係る第一実施例のレンジフードの、（Ａ）右上から見た斜視図、（Ｂ）同図においてフード部と装飾部材を分けて描いた斜視図。
【図７】本発明に係る第一実施例のレンジフードのフード部の、（Ａ）右手前から見た斜視図、（Ｂ）同図において下端部を拡大した拡大斜視図。
【図８】本発明に係る第一実施例のレンジフードの装飾部材の、（Ａ）正面図、（Ｂ）平面図、（Ｃ）底面図、（Ｄ）背面図、（Ｅ）右側面図、（Ｆ）（Ａ）に示されたＣ−Ｃ断面における断面図、（Ｇ）（Ｆ）に示された点線の円形で示された領域の部分拡大断面図。
【図９】本発明に係る第一実施例のレンジフードのダクトカバーの、（Ａ）正面図、（Ｂ）平面図、（Ｃ）底面図、（Ｄ）右側面図、（Ｅ）左側面図、（Ｆ）右上から見た斜視図。
【図１０】本発明に係る第一実施例のレンジフードの、（Ａ）帯部の平面図、（Ｂ）帯部を取り付ける前のフード部の右後方から見た斜視図。
【図１１】本発明に係る第一実施例のレンジフードのフード部に帯部を取り付ける方法を示す説明図であって、繋ぎ目近傍に帯部の一端を取り付け、帯部をフード部に巻き付けようとしている状態を示す説明図。
【図１２】本発明に係る第一実施例のレンジフードのフード部に帯部を取り付ける方法を示す説明図であって、フード部に帯部を巻き付けた状態を示す説明図。
【図１３】本発明に係る第一実施例のレンジフードのフード部に帯部を取り付ける方法を示す説明図であって、フード部に帯部を巻き付けた後、取付金具で帯部をフード部に固定した状態を示す説明図。
【図１４】本発明に係る第一実施例のレンジフードのフード部に帯部を取り付ける方法を示す説明図であって、フード部に帯部を取り付けた後ダクトカバーを取り付けた状態を示す説明図。
【発明を実施するための形態】
【００１１】
以下では、図面を参照しながら、本発明に係る実施例について説明する。
＜第一実施例＞
図１乃至図４を参照し、本実施例におけるレンジフード１００を説明する。レンジフード１００は、レンジフード１００の下方に配置される調理器等から上昇する油煙等を含む空気を捕集して、ダクトＤＵを経由して家屋の外に排気するための装置である。レンジフード１００は、空気を吸引する開口部１６を有するフード部１０と、フード部１０の下端部１１に取り付けられるパイプ状の装飾部材２０と、フード部１０の上に設けられ、ダクトＤＵを覆うダクトカバー３０と、フード部１０の内部に設けられたファンケース４０と、ファンケース４０の下方に設けられ、フード部１０の下端部１１が捕集した空気を風路４４を経由してファンケース４０に導く内面パネル５０と、ダクトカバー３０とフード部１０の繋ぎ目３１を覆う帯部６０とを備える。
【００１２】
フード部１０は、平板の背面板１８が設けられた背面側を除き概ね円錐台の外形を有する。フード部１０の表面外形は、より厳密には、正面側に半円の概ね円弧形ＣＬを有する円錐台の側面の曲面と、背面側の両側に円弧形ＣＬから背面板１８まで延在するように設けられた直線形ＳＴを有する平面から構成される。フード部１０は、開口部１６を形成する下端部１１において最も大きな半径の円弧形ＣＬを有し、ダクトカバー３０に最も近接する上端部１１１において最も小さな半径の円弧形ＣＬを有する。
【００１３】
すなわち、フード部１０は、下端部１１において最も小さな曲率の円弧形ＣＬを有し、上端部１１１において最も大きな曲率の円弧形ＣＬを有する。これらの半径／曲率は、上端部１１１と下端部１１の間で直線的に変化する。このようなフード部１０においては、レンジフード１００が設置された場合、水平面により切断したフード部１０の切断面形状は、正面側に概ね円弧形ＣＬのフード部湾曲部１７（第２湾曲部）を含む。かかるフード部湾曲部１７は、後述するダクトカバー３０のダクトカバー湾曲部３２の曲率より小さい曲率を有すると共に、フード部１０の上端部１１１にから開口部１６に向けて小さくなる曲率を有する。
【００１４】
図６及び図７も参照し、フード部１０を詳述する。フード部１０は、概ね円錐台の側面の展開形の両側に矩形の両端部１５を延在させた外形を有する平板をプレス加工またはレーザー加工により、正面側を概ね円弧形ＣＬのフード部湾曲部１７を有する円錐台形に、両端部１５に矩形平面を延在させた形状に形成される。設置された場合、本実施例では、正面側の上端部１１１は、多少高さが高くなるように形成されているが、フード部１０の上端部１１１は全体としてはほぼ水平になる。フード部１０の下端部１１は、全体として正面側がやや高くなるように形成される。下端部１１は、正面側にほぼ半円の円弧形ＣＬとその両側すなわち背面側の両端部１５に直線形ＳＴを有する。すなわち、下端部１１は、両端部１５に直線形ＳＴを、両端部１５の間に概ね円弧形ＣＬを有する。
【００１５】
下端部１１は、後述する装飾部材２０を取り付けるための係合片１２、係合爪１３、回り止め係合部１４を有する。回り止め係合部１４は、直線形ＳＴの両端部１５の最も背面側である端に一つずつ設けられ、後述する装飾部材２０の回り止め被係合部２２である穴と嵌合する。回り止め係合部１４は、下端部１１から凸状に延在した矩形の平板であるが、これに限定されず、回り止め被係合部２２と嵌合する限りいかなる形状であっても良い。
【００１６】
係合片１２と係合爪１３は、円弧形ＣＬを有する下端部１１に複数適宜設けられる。あまり多くの係合片１２や係合爪１３があっても作業性が悪くなるし、少なくても下端部１１と装飾部材２０の間に隙間が生じやすくなる。本実施例では、係合片１２と係合爪１３は、互いに交互に設けられているが、これに限定されず、係合片１２は、係合爪１３の間に設けられても良い。係合片１２が係合爪１３の間に設けられることで、装飾部材２０が下端部１１からはみ出すことなく、装飾部材２０を下端部１１に容易に取り付けることできる。係合片１２は、装飾部材２０のスリット２１に嵌合し、互いに係合する。係合片１２は、下端部１１から延在した矩形の平板であるが、これに限定されず、スリット２１と嵌合し、嵌合しながらある程度摺動できるいかなる形状であっても良い。
【００１７】
係合爪１３は、スリット２１に嵌合すると共に、パイプ状の装飾部材２０の内面に掛り合う爪部１３１を有する。係合爪１３は、下端部１１から延在し、先端に爪部１３１を有する平板である。このように、装飾部材２０のスリット２１に嵌合するのみで装飾部材２０と掛り合わない係合片１２を、掛り合う係合爪１３と共に設けることで、装飾部材２０が下端部１１との位置がずれて下端部１１からはみ出すことなく、パイプ状の装飾部材２０をフード部１０の下端部１１に摩擦少なく容易に取り付けることでき、製造上の作業性を向上させるレンジフード１００を提供することができる。
【００１８】
さらに、図８も参照し、装飾部材２０を詳述する。装飾部材２０は、フード部１０の下端部１１に取り付けられる中空のパイプ状の部材であり、下端部１１の外形とほぼ同じ形を有する。すなわち、装飾部材２０は、フード部１０の両端部１５に対応した部分が直線形ＳＴを、両端部１５に対応した部分の間に概ね円弧形ＣＬを有する。また、装飾部材２０は、係合片１２と係合爪１３の位置に適合し、それらが嵌合するように複数のスリット状の穴であるスリット２１を有する。
【００１９】
スリット２１は、平面視で真上に向けて開けられておらず、フード部１０の傾斜に適合すると共に、設置された際に通常の視線となる斜め下方向または水平方向からスリット２１が見えないように、また、フード部１０とパイプ状の装飾部材２０との間に生じる隙間が見えないように、真上からわずかに内側に傾いて開けられている。スリット２１のスリット幅は、係合片１２および係合爪１３が嵌合するようにそれら板厚よりわずかに大きい程度である。係合片１２が嵌合するスリット２１のスリット長さは、矩形の係合片１２の長さよりずれ幅分だけ長く、また、係合爪１３が嵌合するスリット２１のスリット長さは、爪部１３１が嵌合するように爪部１３１の長さよりわずかに大きい程度である。
【００２０】
また、装飾部材２０は、背面板１８に最も近い端に回り止め係合部１４の位置に適合し、嵌合するようにスリット状の回り止め被係合部２２を両端部１５に対応する位置に有する。回り止め被係合部２２のスリット幅は、回り止め係合部１４が嵌合するようにその板厚よりわずかに大きい程度であり、スリット長さは、回り止め係合部１４が回り止め被係合部２２に嵌合するとずれないように矩形の回り止め係合部１４の長さとほぼ同じである。装飾部材２０は、弾性のある部材からなり、通常板厚が１ｍｍ以下のステンレスなどの金属からなるパイプから構成されるがこれに限定されるものではない。このように、回り止め係合部１４が回り止め被係合部２２に嵌合することで、装飾部材２０が下端部１１に対してずれ動くことがなく、パイプ状の装飾部材２０がフード部１０の下端部１１から脱落し難いレンジフード１００を提供することができる。
【００２１】
また、下端部１１が直線形のみ、または円弧形のみからなる場合、装飾部材２０をスライドさせる時には回り止め係合部１４が設けられた端の部分を持ち上げながらスライドさせる必要があるが、円弧形ＣＬの端から接線方向に延びる直線形ＳＴの両端部１５に対応した部分があることで、下端部１１の直線形ＳＴの部分と装飾部材２０の直線形ＳＴの部分とが横にずれるため、持ち上げる必要がなくなる。そのため、下端部１１に装飾部材２０を取り付ける際、円弧形ＣＬの部分に設けられたスリット２１に適合する係合爪１３を嵌めて装飾部材２０をスライドさせ、その後装飾部材２０の端部を持ち上げて回り止め被係合部２２に直線形ＳＴの部分に設けられた回り止め係合部１４を嵌めれば良いから、装飾部材２０を下端部１１に容易に取り付けることができる。
【００２２】
図９も参照し、ダクトカバー３０を詳述する。ダクトカバー３０は、フード部１０の上に設けられ、ダクトＤＵを覆う。ダクトカバー３０の下部は、フード部１０の上端部１１１の内側に嵌り込み、正面側にほぼ半円の円弧形ＣＬのダクトカバー湾曲部３２とその両側すなわち背面側の近傍は直線形ＳＴを有する。すなわち、レンジフード１００が設置された場合、水平面により切断したダクトカバー３０の切断面形状は、正面側に概ね円弧形ＣＬのダクトカバー湾曲部３２（第１湾曲部）を含む。ダクトカバー湾曲部３２の曲率は、下から上まで同じ曲率であり、ほぼ円筒形をなす。ダクトカバー湾曲部３２は、フード部１０のフード部湾曲部１７の曲率よりも大きな曲率を有している。
【００２３】
本実施例では、ダクトカバー３０の下部がフード部１０の上端部１１１の内側に嵌り込んでいるので、外見におけるダクトカバー３０とフード部１０の繋ぎ目３１は、フード部１０の上端部１１１に一致する。但し、外見におけるダクトカバー３０とフード部１０の繋ぎ目３１は、ダクトカバー３０の下部がフード部１０の上端部１１１の外側に当接している場合には、ダクトカバー３０の下端に一致する。ダクトカバー３０は、正面側においてほぼ円筒形をなしているので、繋ぎ目３１の近傍においてもダクトカバー湾曲部３２を有する。
【００２４】
ファンケース４０は、フード部１０の内部に設けられ、フード部１０の開口部１６から吸込み、ダクトＤＵへ排気する空気の流れを生じさせる装置である。本実施例では、フード部１０の内部に設けられるが、これに限定されず、たとえば、フード部１０の上方のダクトＤＵ近くに設けられてもよい。ファンケース４０は、内部に、空気の流れを生じさせるファン４１と、ファン４１を回転駆動するファンモータ４２と、風路４４に面し空気を吸い込む開口４５と、空気をダクトＤＵに排気するダクト接続部４３とを備える。ファン４１は、本実施例では、静圧の高いシロッコファンであるが、これに限定されず、例えば軸流ファンであってもよい。
【００２５】
内面パネル５０は、フード部１０の開口部１６が捕集した空気を中央部の開口である風路４４を経由してファンケース４０に導く。内面パネル５０の下方には、空気の流れの流速をフード部１０下端の装飾部材２０付近で高めることにより捕集効率を高める整流板５１が設けられ、また、内面パネル５０の正面側表面には、レンジフード１００をオンオフするなどのスイッチ５２が設けられる。
【００２６】
図５および図１０も参照し、帯部６０を詳述する。帯部６０は、ダクトカバー３０とフード部１０の繋ぎ目３１を覆うための帯状すなわち細長い部材である。本実施例では、帯部６０の端部６１の幅ＷＥは、中央部６２の幅ＷＣより広い。端部６１の上部には、折り曲げてフード部１０の上部に取り付けるための取付部６３、および端部６１の側部には折り曲げてフード部１０の背面に取り付けるための背面取付部６３１を備える。帯部６０は、フード部１０に使用される板厚よりも薄い等によりフード部１０に比して柔らかい、すなわちフード部１０より剛性が小さい部材から作製される。たとえば、帯部６０は、板厚０．３〜０．８ｍｍのステンレス製の平板からプレス加工またはレーザー加工により抜いて作製される。
【００２７】
帯部６０の上端６４は、ダクトカバー３０の円弧形ＣＬを有するダクトカバー湾曲部３２や直線形ＳＴを有する背面側の部分に当接し、隙間がないことが好ましい。帯部６０の下端６５は、フード部１０の円弧形ＣＬを有するフード部湾曲部１７および直線形ＳＴを有する両端部１５に押し付けられて密着しており、下端６５とフード部１０との間には隙間がない状態で、柔らかい帯部６０はフード部１０に巻きつけるようにして取り付けられる。
【００２８】
このように、帯部６０をフード部１０に取り付けることで、取り付けられた状態において、帯部６０の端部６１と中央部６２の角度は以下のような特徴を有する。すなわち、帯部６０の周縁方向における端部６１と鉛直面（たとえば、図１におけるＢ−Ｂ断面）が交わる第１交線（たとえば、Ｂ−Ｂ断面との第１交線Ｌ１を図２に示す）と鉛直方向とがなす第１角度Ａ１は、帯部６０の中央部６２と鉛直面（たとえば、図１におけるＡ−Ａ断面）が交わる第２交線（たとえば、Ａ−Ａ断面との第２交線Ｌ２を図２に示す）と鉛直方向とがなす第２角度Ａ２より大きい。
【００２９】
このような特徴を有することで、柔らかく剛性の小さい帯状の化粧部材である帯部６０の端部６１が水平方向に広げられた状態でフード部１０に取り付けられることで、逆に帯部６０の中央部６２が立ち上り（鉛直方向に近くなり）、すなわち、帯部６０がフード部１０に第１角度Ａ１が第２角度Ａ２より大きい状態で取り付けられることで、帯部６０の下端６５がフード部１０に押し付けられて密着した状態となり、隙間が生じ難い意匠性の高いレンジフード１００を提供することができる。
【００３０】
また、帯部６０は、安価な平板の金属板を用いることができるので、耐火性能を求められるため部品の多くを金属で製作する必要があるレンジフードにおいても、帯部６０を絞り加工用の高額な金型なしで製作でき、金型作製費用等のコストのかからない化粧を施したレンジフード１００を提供することができる。また、帯部６０の端部６１の幅ＷＥが、中央部６２の幅ＷＣより広いことで、端部６１に力を掛けやすくなり、端部６１を広げられた状態にすることが容易となると共に、帯部６０の下端６５における端部６１から中央部６２までの長さが長くなることで、第１角度Ａ１から第２角度Ａ２になる単位長さ当たりの変化量が小さくなるため（第１角度Ａ１から第２角度Ａ２に、より緩やかに徐々に変わるため）、隙間がより生じ難くなる。
【００３１】
図１１乃至図１４を参照し、フード部１０に帯部６０を取り付ける方法について説明する。まず、図１１が示すように、帯部６０の一方の端部６１を、取付部６３がフード部１０の上面に当接するように位置合わせしてねじ止めする。この場合、帯部６０の上端６４がフード部１０とダクトカバー３０の繋ぎ目３１となるフード部１０の上端部１１１より上になるように、すなわち繋ぎ目３１が帯部６０で覆われるように位置合わせする。そして、位置合わせしてねじ止めできたら、その一方の端部６１の背面取付部６３１を背面板１８にねじ止めにより取り付ける。
【００３２】
次に、帯部６０は、剛性が小さく柔らかい材料で作製されているので、他方の端部６１を下方向（開口部１６の方向）に押さえつけながら、他方の取付部６３がフード部１０の上面に当接するように位置合わせして帯部６０を繋ぎ目３１に巻きつけてねじ止めする。そして、図１２に示すように、他方の端部６１の背面取付部６３１を背面板１８にねじ止めにより取り付ける。すなわち、繋ぎ目３１より小さな曲率を有する開口部１６に向けて帯部６０の長手方向の端部６１を押さえつけながら、フード部１０の繋ぎ目３１近傍に帯部６０の長手方向を設置された場合の概ね水平方向に巻きつけて、帯部６０をフード部１０に取り付ける。
【００３３】
次に、図１３に示すように、帯部６０を下方向へ押さえつけた状態で、帯部６０の両方の取付部６３とフード部１０の上部とを取付金具１９を介して強固に接続する。帯部６０をフード部１０の上部と強固に接続した後、図１４に示すように、ダクトカバー３０を帯部６０の上端６４の内側に嵌め込むように取り付ける。
【００３４】
このように、剛性の小さい帯状の化粧部材（帯部６０）を、繋ぎ目３１辺りのフード部１０に開口部１６方向に端部６１を押さえつけながら巻きつけて接続することで、帯部６０の端部６１が広げられた状態でかつ帯部６０の中央部６２ほど立ち上った状態（相対的に鉛直方向に近い状態）となりフード部１０に取り付けられることとなり、帯部６０の下端６５がフード部１０に押し付けられて密着した状態とする、隙間が生じ難い意匠性の高いレンジフードの製造方法を提供することができる。また、帯部６０は、安価な平板の金属板を用いることができるので、耐火性能を求められるレンジフードにおいても、金型製作費用等のコストのかからない化粧を施したレンジフードの製造方法を提供することができる。なお、本実施例では帯部６０における一方の端部６１の取付部６３、一方の端部６１の背面取付部６３１、他方の端部６１の取付部６３、他方の端部６１の背面取付部６３１の順序でフード部１０に帯部６０を取り付けると説明したが、これに限らず、例えば、帯部６０における一方の端部６１の取付部６３、他方の端部６１の取付部６３、一方の端部６１の背面取付部６３１、他方の端部６１の背面取付部６３１の順序で取り付けても良い。
【００３５】
なお、本発明は、例示した実施例に限定するものではなく、特許請求の範囲の各項に記載された内容から逸脱しない範囲の構成による実施が可能である。すなわち、本発明は、主に特定の実施形態に関して特に図示され、かつ説明されているが、本発明の技術的思想および目的の範囲から逸脱することなく、以上述べた実施形態に対し、数量、その他の詳細な構成において、当業者が様々な変形を加えることができるものである。
【符号の説明】
【００３６】
１００  レンジフード
１０    フード部
１１    下端部
１１１  上端部
１２    係合片
１３    係合爪
１３１  爪部
１４    回り止め係合部
１４１  先端部
１５    両端部
１６    開口部
１７    フード部湾曲部（第２湾曲部）
１８    背面板
１９    取付金具
２０    装飾部材
２１    スリット
２２    回り止め被係合部
２３    装飾部材の端部
３０    ダクトカバー
３１    繋ぎ目
３２    ダクトカバー湾曲部（第１湾曲部）
４０    ファンケース
４１    ファン
４２    ファンモータ
４３    ダクト接続部
４４    風路
４５    開口
５０    内面パネル
５１    整流板
５２    スイッチ
６０    帯部
６１    帯部の端部
６２    帯部の中央部
６３    取付部
６３１  背面取付部
６４    帯部の上端
６５    帯部の下端
ＤＵ    ダクト
ＳＬ    直線形
ＣＬ    円弧形
Ａ１    第１角度
Ａ２    第２角度
Ｌ１    第１交線
Ｌ２    第２交線
ＷＥ    端部の幅
ＷＣ    中央部の幅
【図１】
2018035997.tif 000003
【図２】
2018035997.tif 000004
【図３】
2018035997.tif 000005
【図４】
2018035997.tif 000006
【図５】
2018035997.tif 000007
【図６】
2018035997.tif 000008
【図７】
2018035997.tif 000009
【図８】
2018035997.tif 000010
【図９】
2018035997.tif 000011
【図１０】
2018035997.tif 000012
【図１１】
2018035997.tif 000013
【図１２】
2018035997.tif 000014
【図１３】
2018035997.tif 000015
【図１４】
2018035997.tif 000016